(57)【要約】【課題】英語の母音又は子音を発音する場合にどのように舌を動かせばよいかを容易に理解させることができる英語発音学習装置、方法及びプログラムを提供する。【解決手段】英語発音学習装置１は、英語発音として母音又は子音を出力するスピーカ１４と、口腔内部及びその各ポイントを示す数字を表示すると共に、スピーカ１４から出力された英語発音に応じて、口腔内部の動きをアニメーションで表示できる表示部１３と、を備えている。【選択図】図１
2014066793.tif 000002
【特許請求の範囲】
【請求項１】
英語発音を出力する音声出力部と、
口腔内部及びその各ポイントを示す数字を表示すると共に、前記音声出力部から出力された英語発音に応じて、口腔内部の動きをアニメーション表示する表示部と、
を備えた英語発話学習装置。
【請求項２】
口腔内部を表示するステップと、
口腔内部の各ポイントに数字を表示するステップと、
英語発音を出力すると共に、英語発音に対応する口腔内部の動きをアニメーション表示するステップと、
を備えた英語発話学習方法。
【請求項３】
口腔内部を表示するステップと、口腔内部の各ポイントに数字を表示するステップと、英語発音を出力すると共に、英語発音に対応する口腔内部の動きをアニメーション表示するステップと、を実行させるための英語発話学習プログラム。
【請求項４】
請求項３に記載の英語発話学習プログラムが記録された記録媒体。
【発明の詳細な説明】
【技術分野】
【０００１】
本発明は、英語発音学習装置、方法及びプログラムに関する。
【背景技術】
【０００２】
従来、英語・米語において高頻度で利用される１４の母音発音について、５つの「顎の位置」と３つの「開口に際する唇の横幅」の組み合わせで習得する英語母音の学習法が開示されている（特許文献１参照）。
【０００３】
特許文献１の英語母音の学習法によれば、発音学の教育を受けた経験のない人（特に日本人）であっても、容易に、英語・米語の母音を発音することができる。
【先行技術文献】
【特許文献】
【０００４】
【特許文献１】特開２０１０−７２６０６号公報
【発明の概要】
【発明が解決しようとする課題】
【０００５】
一般に、英語の母音又は子音は、舌先の位置によって大きく異なる。しかし、特許文献１の英語母音の学習法は、「顎の位置」と「開口に際する唇の横幅」を示しているものの、舌先の位置を何ら教示していない。このため、英語学習者は、舌先を正しい位置に合わせることができず、正しい発音をすることができない問題があった。
【０００６】
本発明は、このような課題を解決するために提案されたものであり、英語の母音又は子音を発音する場合にどのように舌を動かせばよいかを容易に理解させることができる英語発音学習装置、方法及びプログラムを提供することを目的とする。
【課題を解決するための手段】
【０００７】
本発明に係る英語発話学習装置は、英語発音を出力する音声出力部と、口腔内部及びその各ポイントを示す数字を表示すると共に、前記音声出力部から出力された英語発音に応じて、口腔内部の動きをアニメーション表示する表示部と、を備えている。
【０００８】
本発明に係る英語発話学習方法は、口腔内部を表示するステップと、口腔内部の各ポイントに数字を表示するステップと、英語発音を出力すると共に、英語発音に対応する口腔内部の動きをアニメーション表示するステップと、を備えている。
【０００９】
本発明に係る英語発話学習プログラムは、口腔内部を表示するステップと、口腔内部の各ポイントに数字を表示するステップと、英語発音を出力すると共に、英語発音に対応する口腔内部の動きをアニメーション表示するステップと、を実行させるためのものである。
【００１０】
本発明に係る記録媒体は、前記英語発話学習プログラムが記録されたものである。
【発明の効果】
【００１１】
本発明は、英語の母音又は子音を発音する場合にどのように舌を動かせばよいかを容易に理解させることができる
【図面の簡単な説明】
【００１２】
【図１】英語発音学習装置の構成を示すブロック図である。
【図２】母音Λの発音学習時に表示部に表示された口腔内部を示す図である。
【図３】口腔内部の各ポイントを示す図である。
【図４】口腔内部の各ポイント及び発音の仕方を説明する字幕を示す図である。
【図５】口腔内部の各ポイント及び発音の仕方を説明する字幕を示す図である。
【図６】口腔内部の各ポイント及び発音の仕方を説明する字幕を示す図である。
【図７】子音ｆの発音学習時に表示部１１に表示された口腔内部を示す図である。
【図８】口腔内部の各ポイントを示す図である。
【図９】口腔内部の各ポイント及び発音の仕方を説明する字幕を示す図である。
【図１０】口腔内部の各ポイント及び発音の仕方を説明する字幕を示す図である。
【図１１】口腔内部の各ポイント及び発音の仕方を説明する字幕を示す図である。
【図１２】口腔内部の各ポイント及び発音の仕方を説明する字幕を示す図である。
【図１３】口腔内部の各ポイント及び発音の仕方を説明する字幕を示す図である。
【図１４】口腔内部の各ポイント及び発音の仕方を説明する字幕を示す図である。
【発明を実施するための形態】
【００１３】
以下、本発明の実施の形態について説明する。
図１は、英語発音学習装置１の構成を示すブロック図である。
【００１４】
英語発音学習装置１は、ユーザが操作できる操作部１１と、操作部１１からの操作情報に応じて画像及び音声の出力処理を行う本体部１２と、画像を表示する表示部１３と、音声を出力するスピーカ１４と、を備えている。
【００１５】
本体部１２は、英語学習ビデオが記録された光ディスク２０を収容できる。本体部１２は、光ディスク２０を収容すると、光ディスク２０から情報を読み取り、口腔内部の映像を表示部１３に表示させると共に、英語の発音をスピーカ１４から出力させる。
【００１６】
（母音Λの発音学習）
図２は、母音Λの発音学習時に表示部１１に表示された口腔内部を示す図である。図３は、口腔内部の各ポイントを示す図である。口腔内部の各ポイントには、次に示すように、番号が付けられている。
【００１７】
下前歯の付け根：１
舌            ：２
上前歯の付け根：３
上歯茎        ：４
唇            ：５
舌の付け根    ：６
口角          ：７
硬口蓋        ：８
【００１８】
図４は、口腔内部の各ポイント及び発音の仕方を説明する字幕を示す図である。ここでは、スピーカ１４から、ネイティブスピーカが発話した母音Λの音声が出力される。同時に、表示部１３には、口腔内部の動きがアニメーション表示されると共に、「舌先を１につけて発音します」という字幕が表示される。
【００１９】
図５は、口腔内部の各ポイント及び発音の仕方を説明する字幕を示す図である。ここでも、スピーカ１４から母音Λの音声が出力される。つまり、スピーカ１４からは、何度も同じ音声が出力される。同時に、表示部１３には、口腔内部の動きがアニメーション表示されると共に、「何かを思い出した時に出る「ア」という音です」という字幕が表示される。
【００２０】
図６は、口腔内部の各ポイント及び発音の仕方を説明する字幕を示す図である。ここでも、スピーカ１４から母音Λの音声が出力され、更に、表示部１３には、口腔内部の動きがアニメーション表示される。同時に、「舌をできるだけ平らにして発音しましょう」という字幕が表示される。
【００２１】
（子音ｆの発音学習）
図７は、子音ｆの発音学習時に表示部１１に表示された口腔内部を示す図である。図８は、口腔内部の各ポイントを示す図である。口腔内部の各ポイントに付けられた番号は、母音Λの発音学習時と同じである。
【００２２】
図９から図１４は、口腔内部の各ポイント及び発音の仕方を説明する字幕を示す図である。図９では、スピーカ１４から、ネイティブスピーカが発話した子音ｆの音声が出力される。同時に、表示部１３には、口腔内部の動きがアニメーション表示されると共に、「舌先を１につけて発音します」という字幕が表示される。
【００２３】
図１０では、スピーカ１４から子音ｆの音声が再び出力され、同時に、表示部１３には、口腔内部の動きがアニメーション表示される。更に、表示部１３には、「上の歯で下唇を押さえながら「フー」と音を出します  イメージで勢いよく息を出すと発音できます」という字幕が表示される。
【００２４】
図１１では、「唇を噛まないように注意してください」という字幕が表示部１３に表示される。図１２では、「唇の両端を真ん中に寄せるようにして上唇を持ち上げ、上の歯を見せるようにします」という字幕が表示部１３に表示される。
【００２５】
図１３では、「上唇と上の歯の間に隙間ができます」という字幕が表示部１３に表示される。そして、図１４では、「上の歯と下唇の間に紙切れを挟み、できるだけ遠くに飛ばすイメージでお腹から強く息を吐いて発音します」という字幕が表示部１３に表示される。
【００２６】
以上のように、英語発音学習装置１は、ネイティブスピーカが発話した母音又は子音の音声を出力し、更に、口腔内部の動きを各ポイントに数字を付してアニメーション表示すると共に、発音の仕方を解説した字幕も表示する。
【００２７】
これにより、ユーザは、英語の音声を聞きながら、口腔内部、特に舌をどのように動かせばよいかを直感的に理解することができる。また、ユーザは、英語の音声を聞きながら字幕を見ることで、どのように発話すればよいかを論理的に理解することもできる。
【００２８】
なお、本発明は、上述した実施形態に限定されるものではなく、特許請求の範囲に記載された事項の範囲内で設計変更されたものにも適用可能である。
【００２９】
例えば、上述した実施形態では、英語発音学習装置１は、母音Λ及び子音ｆの音声及びアニメーションを表示しているが、その他の母音及び子音の音声及びアニメーションを表示することも可能である。
【符号の説明】
【００３０】
１  英語発音学習装置
１１  操作部
１２  本体部
１３  表示部
１４  スピーカ
【図１】
2014066793.tif 000003
【図２】
2014066793.tif 000004
【図３】
2014066793.tif 000005
【図４】
2014066793.tif 000006
【図５】
2014066793.tif 000007
【図６】
2014066793.tif 000008
【図７】
2014066793.tif 000009
【図８】
2014066793.tif 000010
【図９】
2014066793.tif 000011
【図１０】
2014066793.tif 000012
【図１１】
2014066793.tif 000013
【図１２】
2014066793.tif 000014
【図１３】
2014066793.tif 000015
【図１４】
2014066793.tif 000016